(57)【特許請求の範囲】
【請求項１】
端末の使用のパレンタルコントロールのための方法であって、前記端末の使用規則が事前に設定され、前記規則がユーザが前記端末を用いて要求したサービスへのアクセスを許可するまたは拒否するために適用され、前記方法がユーザにリワードが与えられ得るイベントを決定すること、また、前記イベントのうちの１つが発生した場合、前記イベントに対応する使用リワード（Ｒ）を定義することをさらに提供し、前記リワードが使用規則の適用において考慮される前に親承認を受け、リワード（Ｒ）が親の端末への通知によって提出される、方法。
【請求項２】
少なくとも１つのイベントが一時的に決定されることを特徴とする、請求項１に記載のパレンタルコントロール方法。
【請求項３】
少なくとも１つのイベントが端末の使用に応じて決定され、前記方法が、前記イベントが発生したことを確定するために、前記使用を監視することを提供することを特徴とする、請求項１または２に記載のパレンタルコントロール方法。
【請求項４】
少なくとも１つの使用インジケータ（Ｉ１、Ｉ２）の関数としてのスコア（Ｓ）の確定、目標スコアの確定に対応するイベントの発生を含むことを特徴とする、請求項３に記載のパレンタルコントロール方法。
【請求項５】
使用インジケータ（Ｉ１、Ｉ２）が使用規則の順守に依存するおよび／または前記規則内で使用される少なくとも１つのパラメータに依存することを特徴とする、請求項４に記載のパレンタルコントロール方法。
【請求項６】
親承認が前記通知への肯定応答によって確定されることを特徴とする、請求項１から５のいずれか一項に記載のパレンタルコントロール方法。
【請求項７】
リワード（Ｒ）が少なくとも１つの使用規則を適用することにより生じた少なくとも１つの制限事項の緩和または解除に対応することを特徴とする、請求項１から６のいずれか一項に記載のパレンタルコントロール方法。
【請求項８】
リワード（Ｒ）を考慮することがユーザの端末に通知され得ることを特徴とする、請求項１から７のいずれか一項に記載のパレンタルコントロール方法。
【請求項９】
端末の使用のパレンタルコントロールのためのアプリケーションであって、前記アプリケーションが、前記端末の使用規則を設定するためのモジュールと、前記端末のユーザが要求したサービスへのアクセスを許可するまたは拒否するために前記規則を適用するように設定された制御モジュールとを備えるアクセス制御システム（７、８）を含み、前記アプリケーションが、ユーザにリワードが与えられ得るイベントを決定するためのモジュールと、そのようなイベントが発生したことを確定するためのモジュールと、前記イベントに対応する使用リワード（Ｒ）を定義するためのモジュールと、親の端末へのリワード（Ｒ）の通知に対する肯定応答の受信による前記リワードのための親承認モジュールと、制御モジュールにおいて前記許可されたリワードを考慮するためのモジュールとを備えるリワードシステム（１５）をさらに含む、アプリケーション。
【請求項１０】
確定モジュールが、端末の使用を監視するための手段と、少なくとも１つの使用インジケータ（Ｉ１、Ｉ２）の関数としてのスコアを計算するための手段と、目標スコアが計算されるたびにイベントを確定するための手段とを含むことを特徴とする、請求項９に記載のパレンタルコントロールのためのアプリケーション。
【発明の詳細な説明】
【技術分野】
【０００１】
本発明は、端末の使用のパレンタルコントロールのための方法、ならびに端末の使用のパレンタルコントロールのためのアプリケーションに関する。
【背景技術】
【０００２】
特に、本発明は携帯通信端末に適用され、前記端末は子供によって使用され、その親は特に電話呼へのアクセスに関して、また、携帯電話を用いて利用可能な他のサービスに関しても前記使用を制御したいと思っている。
【０００３】
これを行うために、親が子供の端末の使用規則を設定することができるアプリケーションが知られており、前記規則は、子供が自分の端末を用いて要求したサービスへのアクセスを許可するまたは拒否するために適用される。
【０００４】
さらに、知られているアプリケーションは、特に：
−  使用制限に近づくたびに、アラート通知、
−  使用クレジットが使い果たされたことの通知、
−  子供が自分の電話機を用いて要求したサービスへのアクセスを拒否する通知
を送信することによって、使用規則の適用に関連するいくつかの情報を親に通知することを可能にする。
【０００５】
特に、「Ａｌｃａｔｅｌ−Ｌｕｃｅｎｔ  ８６１１  Ｕｓａｇｅ  Ｃｏｎｔｒｏｌ」として知られているアプリケーションは、親が子供の携帯電話の使用を制御することを可能にする。
【０００６】
しかし、このタイプのアプリケーションは、子供による端末の使用を単に制限することに限定される。さらに、一時的に特定のイベントに基づく場合を含め、親が使用規則を変更したいと思うたびに、親はそのために利用可能なインターフェース、例えば、携帯通信事業者のウェブポータルを使用して、時間制限を含み得る前記規則の設定を手動で繰り返さなければならない。
【発明の概要】
【発明が解決しようとする課題】
【０００７】
本発明の目的は、特にパレンタルコントロール方法を提案することによって従来技術の欠点を改善することであり、その方法の柔軟性は、特に特定のイベントの発生に関して自動的に改善され得る。
【課題を解決するための手段】
【０００８】
そのために、また、第１の態様によれば、本発明は端末の使用のパレンタルコントロールのための方法を提案し、前記端末の使用規則は事前に設定され、前記規則はユーザが前記端末を用いて要求したサービスへのアクセスを許可するまたは拒否するために適用され、前記方法はユーザにリワードが与えられ得るイベントを決定すること、また、前記イベントのうちの１つが発生した場合、前記イベントに対応する使用リワードを定義することをさらに提供し、前記リワードは使用規則の適用において考慮される前に親承認を受ける。
【０００９】
第２の態様によれば、本発明は端末の使用のパレンタルコントロールのためのアプリケーションを提案し、前記アプリケーションは、前記端末の使用規則を設定するためのモジュールと、前記端末のユーザが要求したサービスへのアクセスを許可するまたは拒否するために前記規則を適用するように設定された制御モジュールとを備えるアクセス制御システムを含み、前記アプリケーションは、ユーザにリワードが与えられ得るイベントを決定するためのモジュールと、そのようなイベントが発生したことを確定するためのモジュールと、前記イベントに対応する使用リワードを定義するためのモジュールと、前記リワードのための親承認モジュールと、制御モジュールにおいて前記許可されたリワードを考慮するためのモジュールとを備えるリワードシステムをさらに含む。
【００１０】
添付の図に関連して記載された以下の説明において、本発明の他の特徴および利点が明らかとなろう。
【図面の簡単な説明】
【００１１】
【図１】本発明の一実施形態によるパレンタルコントロール方法を実施するためのアプリケーションを備えるアーキテクチャを示す図である。
【図２】ユーザが自分の端末を用いて要求したサービスへのアクセスを許可するまたは拒否するための使用規則の設定およびアプリケーションを表す図である。
【図３】イベントの決定および発生に加え、使用規則の適用において考慮される前の親承認のためのリワードの提出を表す図である。
【図４】端末の２つの使用インジケータの関数であるスコアに基づいて確定されたリワードの定義を表す図である。
【発明を実施するための形態】
【００１２】
子供の端末、特に携帯電話の使用のパレンタルコントロールのための方法およびアプリケーションが以下に説明される。特に、制御は子供の携帯電話番号（またはＭＳＩＳＤＮ、Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒの略）に基づいて実行される。したがって、子供が電話機を変更し、同じ電話番号を維持する場合、パレンタルコントロールの適用が継続する。
【００１３】
図１には、サーバ１のアーキテクチャにおけるアプリケーションが示されており、前記サーバは、パレンタルコントロールサービスがロードされる電話事業者のシステム２と通信する。そうするために、サーバ１は、サーバ１とシステム２との間で管理プロトコル３および入力／出力インターフェースマネージャ４を提示する。
【００１４】
また、アプリケーションサーバ１は、データベース５および、電話呼ならびにインターネットサービスにアクセスするための制御システム７と、例えばウェブインターフェースから制御規則を規定するために使用されるシステム８とを備えるアプリケーションコンテナ６を提示する。
【００１５】
これらのアクセス制御システム７、８のそれぞれは、プログラミングインターフェース１１（ＡＰＩ、アプリケーションプログラミングインターフェース（Ａｐｐｌｉｃａｔｉｏｎ  Ｐｒｏｇｒａｍｍｉｎｇ  Ｉｎｔｅｒｆａｃｅ）の略）を用いて、問題となっているサービス、すなわち、通信サービスのコンテナ９およびウェブサーバ１０とそれぞれ通信する。
【００１６】
アクセス制御システム７、８は、使用規則が親によって子供の携帯端末に対して事前に設定されることを提供することによって、パレンタルコントロールを実施することを可能にする。そうするために、制御システム７、８は、例えば親にグラフィカルインターフェース（ＧＵＩ、グラフィカルユーザインターフェース（Ｇｒａｐｈｉｃａｌ  Ｕｓｅｒ  Ｉｎｔｅｒｆａｃｅ）の略）を提供する、前記端末の使用規則のための設定モジュールを備えることができる。
【００１７】
例示的な実施形態では、使用規則は：
−  縮小されたアクティビティ、例えば、子供は授業時間中に電話をかけることを許可されない、
−  禁止されるサービス、例えば、禁止される電話番号、
−  少なくとも１つのサービス単位に基づく使用制限、例えば、通信時間、ＳＭＳメッセージまたはＭＭＳメッセージの数、またはデータ量、
−  費用に基づく使用制限、例えば、ユーロ単位、
−  常に許可されるサービス、例えば、緊急用電話番号
を定義するように設定され得る。
【００１８】
図２に関連して、親は、データベース５に格納された使用規則を設定するまたは修正する１２。その後、端末のユーザによってサービスへのアクセスが要求される１３たびに、例えばそれぞれの制御システム７、８のための制御モジュールを用いて、前記サービスへのアクセスを許可するまたは拒否するために使用規則が適用される１４。
【００１９】
図１に関連して、アプリケーションは、プログラミングインターフェース１７を用いて通信サービスのコンテナ１６と通信するリワードシステム１５も含む。
【００２０】
リワードサービスは、ユーザにリワードが与えられ得るイベントを決定するためのモジュールと、そのようなイベントが発生したことを確定するためのモジュールと、前記イベントに対応するユーザリワードを定義するためのモジュールと、事前に設定されたリワードのための親承認モジュールと、制御モジュール内で前記許可されたリワードを考慮するためのモジュールとを備える。
【００２１】
したがって、パレンタルコントロール方法は、特に親が子供にリワードが与えられ得るイベントを最初に決定することを可能にする。その後、前記イベントに対応する使用リワードを自動的に定義することを可能にするために、前記イベントのうちの１つの発生がやはり自動的に確定され得る。
【００２２】
特に、リワードは、少なくとも１つの使用規則を適用することにより生じた少なくとも１つの制限事項の緩和または解除に対応することができ、前記リワードは、場合によっては、親によって事前に設定されるか、アプリケーションによって定義される。
【００２３】
本方法は、定義されたリワードが使用規則を適用する際に考慮される前に、親承認を受けることを提供する。特に、定義されたリワードは、親の端末への通知によって提出され得、親承認は前記通知への肯定応答によって確定される。この場合、子供に関連する規則は、親がシステム８を使用することを全く必要とせずに自動的に更新される。同様に、リワードを考慮することはユーザの端末に通知され得る。
【００２４】
図３に関連して、データベース５においてイベントを決定し記録した１８後、イベントの発生１９は、例えばＳＭＳによって、前記イベントに対応する使用リワードを親へ通知すること２０につながる。
【００２５】
次に、親承認２１は、使用規則を適用する際にリワードを考慮する２２ことを可能にするために、通知ＳＭＳへの肯定応答によって確定され得る。
【００２６】
第１の例示的な実施形態では、例えば子供の誕生日に対応する日付の形で、少なくとも１つのイベントが一時的に決定され得る。したがって、その日には、例えば、端末使用のボーナスが子供に与えられ得る。
【００２７】
第２の例示的な実施形態では、子供による端末の使用、特に規則に従った正しい使用に応じて少なくとも１つのイベントが決定され得、本方法は、そのようなイベントが発生したことを確定するために、前記使用が監視されることを提供する。
【００２８】
特に、本方法は、少なくとも１つの使用インジケータの関数としてのスコアの確定、目標スコアの確定に対応するイベントの監視を含むことができる。そうするために、イベントが発生したことを確定するためのモジュールは、端末の使用を監視するための手段と、少なくとも１つの使用インジケータの関数としてのスコアを計算するための手段と、目標スコアが計算されるたびにイベントを確定するための手段とを含む。
【００２９】
例えば、使用インジケータは、使用規則の順守に依存しおよび／または前記規則内で使用される少なくとも１つのパラメータに依存し得る。
【００３０】
図４に関連して、以下の２つの使用インジケータに依存するスコアに基づいて確定されたリワードの定義が以下に説明される：
・  使用規則を順守することに依存するインジケータ：Ｉ１＝（拒否の合計数）／（承認の合計数）、
・  使用インジケータ：Ｉ２＝（消費された単位）／（承認された単位の合計数）。
【００３１】
これらの２つのインジケータに基づいて、スコアＳを確定するために、スコア計算関数Ｆが特にイベント決定モジュールにおいて事業者および／または親によって選択され得る。上記の例では、Ｉ１＝０およびＩ２＝１であるとき、最高のスコアが計算される。これらのスコア、ならびにこれらのスコアに対応するインジケータは、それらが表す設定データの意味の範囲内でいつでも再定義され得る。
【００３２】
次に、イベントを確定するための手段は、親に提出されるリワードＲを確定するために、目標スコアとリワードの間にルックアップテーブルＴを含み得る。
【図１】
0005501450.tif 000002
【図２】
0005501450.tif 000003
【図３】
0005501450.tif 000004
【図４】
0005501450.tif 000005